(57)【要約】【課題】導光板等の最適な伸縮可能な構造を提供することにより、照明度を低下させない液晶表示装置を提供する。【解決手段】液晶表示装置１は、液晶パネル１２０と、その背面に設けられた導光板１２１と、その左右側面に対向して配置された１対の光源搭載基板１２３と、光源搭載基板１２３の導光板１２１側と反対側に接続されたヒートシンク１０１とを含む。導光板１２１の前面側に第１の反射シート１３５、背面側に第２の反射シート１３６を配する。第１の反射シート１３５の左右側は立ち上がり部１３５ｂは、光源搭載基板１２３と接着される。又、ヒートシンク１０１は、第２の反射シート１３６の側端部１３６ａを受け入れ可能な溝１０１ｄを導光板１２１側に有している。更に、導光板１２１の前面側に配置される光学シート１３４とその前面側の液晶パネル１２０を支持する第２のフレーム１３８との間には緩衝体１３３を介設する。【選択図】図２
2008299181.tif 000002
【特許請求の範囲】
【請求項１】
液晶パネルと、前記液晶パネルの背面に配置した導光板と、前記導光板の両側面に対向して配置した一対の光源搭載基板と、前記光源搭載基板の前記導光板側の面に実装した複数の光源と、前記導光板の背面側に配置した背面カバーと、を有し、前記一対の光源搭載基板は前記液晶パネルの表示画面に対し左右方向に配置した液晶表示装置において、
前記光源搭載基板の前記導光板とは反対側の面に設けたヒートシンクと、
前記導光板側の前面側に、前記導光板の少なくとも左右端側縁部を覆い、液晶表示装置の表示エリア部が開口された第１の反射シートと、
前記導光板に隣接して背面側に配置した板状の第２の反射シートと、を有し、
前記第１の反射シートの前記左右端側縁部を覆う部分は、前記光源搭載基板にまで伸びて、Ｌ字形に曲がり、前記光源搭載基板の前記導光板側の面と接着されていることを特徴とする液晶表示装置。
【請求項２】
前記第１の反射シートは、前記導光板の左右端側縁部と重なる領域の左右端側外側に伸縮吸収部を有することを特徴とする請求項１に記載の液晶表示装置。
【請求項３】
前記第１の反射シートは、その左右端側縁部は、更に前記光源搭載基板の前記導光板側の面と平行して前面側に延伸して、前記ヒートシンクの前記液晶パネルにおける前面側で固定されることを特徴とする請求項１又は請求項２に記載の液晶表示装置。
【請求項４】
液晶パネルと、前記液晶パネルの背面に配置した導光板と、前記導光板の両側面に対向して配置した一対の光源搭載基板と、前記光源搭載基板の前記導光板側の面に実装した複数の光源と、前記導光板の背面側に配置した背面カバーと、を有し、前記一対の光源搭載基板は前記液晶パネルの表示画面に対し左右方向に配置した液晶表示装置において、
前記光源搭載基板の前記導光板とは反対側の面に設けたヒートシンクと、
前記導光板側の前面側に、前記導光板の少なくとも左右端側縁部を覆い、液晶表示装置の表示エリア部が開口された第１の反射シートと、
前記導光板に隣接して背面側に配置した板状の第２の反射シートと、を有し、
前記ヒートシンクの前記導光板側の面に、前記第２の反射シートの側端部を受け入れ可能な溝を設けることを特徴とする液晶表示装置。
【請求項５】
前記ヒートシンクの前記導光板側の面に、前記第２の反射シートの側端部を受け入れ可能な溝を設けたことを特徴とする請求項１から請求項３のいずれか１項に記載の液晶表示装置。
【請求項６】
前面側から液晶パネルと、少なくとも１枚の光学シートと、導光板と、をこの順番に配置し、前記導光板の両側面に対向して配置した一対の光源搭載基板と、前記光源搭載基板の前記導光板側の面に実装した複数の光源と、前記導光板の背面側に配置した背面カバーと、を有し、前記一対の光源搭載基板は前記液晶パネルの表示画面に対し左右方向に配置した液晶表示装置において、
前記液晶パネルを前面側と背面側から挟む枠状の第１のフレーム及び第２のフレームと、
前記光源搭載基板の前記導光板とは反対側の面に設けたヒートシンクと、
前記導光板側の前面側に、前記導光板の少なくとも左右端側縁部を覆い、液晶表示装置の表示エリア部が開口された第１の反射シートと、
前記導光板に隣接して背面側に配置した板状の第２の反射シートと、を有し、
前記第２のフレームと前記光学シートとの間に弾性と滑り性を備えた緩衝体を介設することを特徴とする液晶表示装置。
【請求項７】
前記液晶パネルを前面側と背面側から挟む枠状の第１のフレームと第２のフレームと、
前記第２のフレームの背面側であって前記導光板の前面側に少なくとも１枚の光学シートと、を有し
前記第２のフレームと前記光学シートとの間に弾性と滑り性を備えた緩衝体を介設することを特徴とする請求項１から請求項５のいずれか１項に記載の液晶表示装置。
【請求項８】
前記第１の反射シートの背面側に配置された第３のフレームを有し、
前記ヒートシンクが前記背面パネルと前記背面カバーとの間に達するまで延伸しており、該延伸したヒートシンクの先端に放熱部が接続され、
前記第１のフレームと第２のフレームの間に前記液晶パネルを挟んで、前記ヒートシンクの前記液晶パネルにおける前面側にねじ固定することによって前記第３のフレームが前記放熱部の前面側の面から押圧支持されることを特徴とする請求項６又は請求項７に記載の液晶表示装置。
【発明の詳細な説明】
【技術分野】
【０００１】
本発明は、液晶表示装置に関するものであり、特にサイドライト方式バックライトを用いた薄型液晶表示装置に関する。
【背景技術】
【０００２】
表示装置は、ＣＲＴ（Cathode Ray Tube）やプラズマディスプレイパネル等の発光型の表示装置と、液晶表示装置等の非発光型の表示装置に大別できる。
【０００３】
非発光型の表示装置としては、画像信号に応じて光の反射光量を調節する反射型の光変調素子を用いるものと、画像信号に応じて光の透過光量を調整する透過型の光変調素子を用いるものがある。特に、透過型の光変調素子として液晶表示パネルを用い、その背面に照明装置（バックライトとも呼ぶ）を備える液晶表示装置は薄型、軽量であることから、コンピュータのモニターやテレビ受像機（ＴＶ）等さまざまな表示装置として採用されている。
【０００４】
液晶パネルの表示原理としては、主流のＴＮ（ツイステッドネマチック）の他に、広視野角を特徴とするＩＰＳ（インプレーンスイッチング）、ＭＶＡ（マルチドメインバーチカルアライメント）等が用いられるが、いずれも、表示部の背面に設置されたバックライトから光を照射し、液晶パネルはバックライトから照射された光の透過率を制御することにより画像を形成するものである。
近年、これらの液晶表示装置について高輝度化、色再現範囲の拡大の要求が高まっている。又、薄型ＴＶの普及に伴い壁掛けを可能とするＴＶのニーズが高まっている。
液晶表示装置においては、薄型化を進めるため、バックライト光源を液晶パネル背面に位置するのではなく、サイドに配置するサイドライト方式が提案されている。
【０００５】
特許文献１には、光源を導光板の側端面側に、導光板の背面側に反射シートを配置し、前記側端面（光入射面）側を除いて光源をコの字型にリフレクタで囲み、光源からの光を導光板の光入射面に導き、更に、リフレクタの側端面外側と反射シート背面側を囲む放熱板を配置して、光源からの熱をリフレクタから放熱板に伝熱して放熱させるサイドライト方式の液晶表示装置の技術が記載されている（特許文献１、図１参照）。ここで、側端面とは、液晶表示装置の表示画面に向かって左右外側に向く面のことであり、背面とは液晶表示装置の表示画面側を前面とし、その反対側の面である。
【０００６】
特許文献２には、サイドライト方式の液晶表示装置において光源としてＬＥＤ（Light Emitting Diode）を用い、ＬＥＤの発熱を除熱するために光源搭載基板を熱伝導シート介してＬ字形のＬ型熱伝導部材に接続し、更に、Ｌ型熱伝導部材からヒートシンクに熱を伝えて放熱する構成が記載されている（特許文献２、図３９〜図４１参照）。又、特許文献２には、ＬＥＤの周囲に熱伝導反射板を配置して光源搭載基板に固定する構成が記載されている（特許文献２、図４８）。
下記特許文献２では、ＬＥＤを光源として用い、かつ、サイドライトとして用いた構成が記載されている。
【０００７】
【特許文献１】特開２００３−１１４４３１号公報
【特許文献２】特開２００６−１５６３２４号公報
【発明の開示】
【発明が解決しようとする課題】
【０００８】
しかしながら、特許文献１に記載された従来技術では、光源と放熱板との間にリフレクタが介在する配置構成となり、光源から放熱板への伝熱における熱抵抗が高く、光源からの熱を効率よく放熱できない問題があった。
又、特許文献２に記載された従来技術では、熱伝導反射板を個々のＬＥＤを囲むように配置しており、光源搭載基板のＬＥＤの列全体を透明の樹脂で覆い、成形してレンズとしているような構成においては、そのような構成をとることはできず、特許文献１のようなリフレクタの構成を採用すると、前記と同様の放熱効率の問題を生じる。
【０００９】
又、導光板が光源からの熱により膨張し、反り返ると光学的な軸がずれてバックライトの照明度が下がったり、導光板の前面側及び背面側に配置された第１の反射シート及び第２の反射シートが導光板の伸縮につられて伸縮し光漏れを生じたりする等の問題があった。
【００１０】
本発明はこのような課題を解決するためになされたものであり、その目的は、導光板等の最適な伸縮可能な構造を提供することにより、照明度を低下させない液晶表示装置を提供することにある。
【課題を解決するための手段】
【００１１】
前記課題を解決するために、第１の発明は、液晶パネルと、液晶パネルの背面に配置した導光板と、導光板の両側面に対向して配置した一対の光源搭載基板と、光源搭載基板の導光板側の面に実装した複数の光源と、導光板の背面側に配置した背面カバーと、を有し、一対の光源搭載基板は液晶パネルの表示画面に対し左右方向に配置した液晶表示装置において、
光源搭載基板の導光板とは反対側の面に設けたヒートシンクと、導光板側の前面側に、導光板の少なくとも左右端側縁部を覆い、液晶表示装置の表示エリア部が開口された第１の反射シートと、導光板に隣接して背面側に配置した板状の第２の反射シートと、を有し、第１の反射シートの左右端側縁部を覆う部分は、光源搭載基板にまで伸びて、Ｌ字形に曲がり、光源搭載基板の導光板側の面と接着されていることを特徴とする。
【００１２】
第１の発明によれば、光源搭載基板にヒートシンクが配置されているので、光源からの熱が光源搭載基板から効率よくヒートシンクに伝熱される。又、第１の反射シートが光源搭載基板に接着されているので、導光板の熱膨張につられて第１の反射シートの左右端が光源搭載基板の導光板側の面から離れるということが防止できる。
【００１３】
又、第２の発明は、第１の発明の構成に加えて、前記導光板の左右端側縁部と重なる領域の左右端側外側に伸縮吸収部を有することを特徴とする。
【００１４】
第２の発明によれば、伸縮吸収部を有しているので導光板の熱による伸縮につられて第１の反射シートが左右方向に伸縮しても、伸縮吸収部で吸収され、光源搭載基板との接着部が離れるということが防止できる。
【００１５】
第３の発明は、第２の発明の構成に加えて第１の反射シートは、その左右端側縁部は、更に、光源搭載基板の導光板側の面と平行して前面側に延伸して、ヒートシンクの前記液晶パネルにおける前面側で固定されることを特徴とする。
【００１６】
第３の発明によれば、ヒートシンクに伝熱された熱を液晶パネルの前面側に伝えない断熱効果がある。
【００１７】
第４の発明は、液晶パネルと、液晶パネルの背面に配置した導光板と、導光板の両側面に対向して配置した一対の光源搭載基板と、光源搭載基板の導光板側の面に実装した複数の光源と、導光板の背面側に配置した背面カバーと、を有し、一対の光源搭載基板は液晶パネルの表示画面に対し左右方向に配置した液晶表示装置において、
光源搭載基板の導光板とは反対側の面に設けたヒートシンクと、導光板側の前面側に、導光板の少なくとも左右端側縁部を覆い、液晶表示装置の表示エリア部が開口された第１の反射シートと、導光板に隣接して背面側に配置した板状の第２の反射シートと、を有し、ヒートシンクの導光板側の面に、第２の反射シートの側端部を受け入れ可能な溝を設けることを特徴とする。
【００１８】
第４の発明によれば、ヒートシンクの溝が第２の反射シートの伸縮を吸収するので導光板の熱による伸縮につられて第２の反射シートが左右方向に伸縮しても溝の左右方向の深さで吸収され、第２の反射シートの側端部が光源搭載基板と干渉したり、光源搭載基板の導光板側の面から離れて光が漏れたりするということが防止できる。
【００１９】
第５の発明は、前面側から液晶パネルと、少なくとも１枚の光学シートと、導光板と、をこの順番に配置し、導光板の両側面に対向して配置した一対の光源搭載基板と、光源搭載基板の導光板側の面に実装した複数の光源と、導光板の背面側に配置した背面カバーと、を有し、一対の光源搭載基板は液晶パネルの表示画面に対し左右方向に配置した液晶表示装置において、
液晶パネルを前面側と背面側から挟む枠状の第１のフレームと第２のフレームと、光源搭載基板の導光板とは反対側の面に設けたヒートシンクと、導光板側の前面側に、導光板の少なくとも左右端側縁部を覆い、液晶表示装置の表示エリア部が開口された第１の反射シートと、導光板に隣接して背面側に配置した板状の第２の反射シートと、を有し、第２のフレームと光学シートとの間に弾性と滑り性を備えた緩衝体を介設することを特徴とする。
【００２０】
第５の発明によれば、第２のフレームと光学シートとの間に弾性と滑り性を備えた緩衝体を介設するので、導光板が熱により伸縮するときにも、緩衝体と光学シートの間で滑りを生じ、光学シートが撓んだり、傷ついたりすることを防止できる。
【発明の効果】
【００２１】
本発明により、光源をコの字型のリフレクタで囲う構成が取れない場合でも、光源からの光を効率的に導光板に導く構成とすることができ、光源搭載基板の導光板と反対側の面にヒートシンクを配置して、効率よく光源からの熱を伝導させることができる。
又、導光板の熱膨張による反りを抑制するために前面側と背面側とから挟み込んで押圧する場合に、導光板の伸縮につられて、導光板に隣接して配されている第１の反射シート、第２の反射シート、光学シートの左右方向の伸縮が許容される。
【００２２】
その結果、導光板の熱膨張に対する最適な伸縮可能な構造を提供することにより、照明度を低下させない液晶表示装置を提供することができる。
【発明を実施するための最良の形態】
【００２３】
《全体構成》
以下、本発明の実施形態について、図面を参照しながら詳細に説明する。
図１は本発明の実施形態に係る液晶表示装置の構成斜視図であり、図２は図１のＸ−Ｘ
矢視断面図である。
【００２４】
本実施形態では図１に示すように、説明上液晶パネル１２０の表示画面を基準として上下左右及び前背面を定義する。つまり、液晶表示装置１を観る使用者が液晶パネル１２０の表示画面に正対したときに、手前側である表示画面側を「前面」、奥側を「背面」とし、使用者に向かって右側を「右」、左側を「左」と定義する。
本実施形態の液晶表示装置１は、主要構成要素として液晶パネル１２０、導光板１２１、光源１２４、光源搭載基板１２３、ヒートシンク１０１により構成されている。又、他の構成要素として、第１のフレーム１３７、第１のゴムクッション１３１、第２のゴムクッション１３２、第２のフレーム１３８、緩衝体１３３、光学シート１３４、第１の反射シート１３５、第２の反射シート１３６、第３のフレーム１３９、背面カバー１２２を有している。
【００２５】
次に、前面側から各構成要素の配置と機能を、図２を参照しながら説明する。
（第１のフレーム、液晶パネル及び第２のフレーム）
第１のフレーム１３７は、液晶パネル１２０の前面に配置され、液晶表示装置１の前面カバーとしての機能を有する。又、第１のフレーム１３７は液晶表示装置１の表示エリア部が開口された形状となっている。第１のフレーム１３７の前記開口の左右端側の縁部前面には、第２のフレーム１３８、第１の反射シートをヒートシンク１０１の躯体部１０１ａの前面に設けられた図示しないねじ孔に固定ねじ２０１で共締めするための図示しない孔が設けられている。
【００２６】
第１のフレーム１３７の背面側に液晶パネル１２０が配置される。液晶パネル１２０は２枚の基板間に液晶を挟持した構成をしており、液晶のオン／オフにより導光板１２１から出射した光の透過／遮断を制御する光シャッタとしての機能を有する。
液晶パネル１２０は、第１のフレーム１３７と四角枠状の第２のフレーム１３８との間に、四角枠状の第１のゴムクッション１３１及び第２のゴムクッション１３２を介在させて挟持した構成である。
【００２７】
具体的には、第１のフレーム１３７の前記開口縁部の背面と、液晶パネル１２０の前面の縁部との間に、第１のゴムクッション１３１が介設され、同様に、液晶パネル１２０の背面の縁部と、第２のフレーム１３８の前面の縁部との間に、第２のゴムクッション１３２が介設され、液晶パネル１２０を前面側と背面側との両方から弾性的に押圧して、第１のフレーム１３７と第２のフレーム１３８で支持する。
第１及び第２のフレーム１３７、１３８は、例えば、ステンレス鋼、アルミニウム（Ａｌ）等の金属板からなる。第１及び第２のゴムクッション１３１、１３２は緩衝材としての機能も有する。
【００２８】
（光学シート、緩衝体）
光学シート１３４は第２のフレーム１３８の背面側に、四角枠状の緩衝体１３３を挟んで配置され、導光板１２１から出射した光の更なる面内均一化、又は、前面側方向の輝度を向上させる指向性付与機能を有する。図１では、代表的に１枚の光学シート１３４で表示したが、図２では前面側から３枚の光学シート１３４Ａ、１３４Ｂ、１３４Ｃの順で配置してある。ここでは、光学シート１３４Ａは光の特定の振動面を有する光を反射し、他を透過させる反射偏向板であり、光学シート１３４Ｂは前面側方向の輝度を向上させるプリズムシートであり、光学シート１３４Ｃは、光の更なる面内均一化を図る拡散シートである。
【００２９】
本実施形態では、光学シート１３４として前記した３枚の光学シート１３４Ａ、１３４Ｂ、１３４Ｃを組み合わせて使用しているが、これに限定されず、１枚の光学シートが多層構造を有し、反射偏向板の機能とプリズム機能と拡散機能の少なくとも２つの機能を併せ持つ光学シートを用いて、光学シート１３４の枚数を少なくしたものでも良いし、逆に拡散シートを複数枚組み合わせても良い。
【００３０】
緩衝体１３３は、弾性があって、光学シート１３４と摺動性（低摩擦性、易滑性）があり、光学シート１３４の表面に摺動による傷をつけないものが好ましい。例えば、内部の芯をウレタンスポンジとし、その外側に銀（Ａｇ）コーティングしたナイロン繊維布で覆い、更にニッケル（Ｎｉ）メッキしたものとか、シリコーン（Ｓｉ）ゴムスポンジの表面をフッ素樹脂コーティング、又は、フッ素樹脂テープで覆ったものが考えられる。
【００３１】
（第１の反射シート）
第１の反射シート１３５は、樹脂製シートであり、光学シート１３４（１３４Ａ、１３４Ｂ、１３４Ｃ）の背面側に配置される。
第１の反射シート１３５は液晶表示装置１の表示エリア部に対応する四角形の開口部を有する四角枠状のシートであり、前記開口部周囲の開口縁部１３５ａは、左右端側が前面側に立ち上がり、その立ち上がり部１３５ｂの光源搭載基板１２３側の面が接着剤、又は、両面テープ等の接着部材１７３により光源搭載基板１２３と接着されている。立ち上がり部１３５ｂは、ヒートシンク１０１の前面側まで伸び、そこで更に左右外側に曲がって延伸した固定部１３５ｃを有し、前記したヒートシンク１０１の躯体部１０１ａの図示しないねじ孔に対応する位置に固定ねじ２０１が挿通可能な図示しない孔が設けられている。
第１の反射シート１３５は光源１２４から出た光のうち、導光板１２１の入射面１２１ａに入射しない光を反射して入射面１２１ａに入射させる機能、及び光源１２４近傍の導光板１２１の出射面１２１ｂから出た光を再び導光板１２１に戻すための機能を有する。
なお、光源１２４近傍の導光板１２１の出射面１２１ｂ、つまり、第１の反射シート１３５の開口縁部１３５ａの左右側部分と重なっている導光板１２１の領域が、請求項１等に記載の「導光板の左右端側縁部」に対応する。
【００３２】
光源１２４近傍ではＲＧＢの光源１２４からの出射光が十分混ざっておらず不均一となっており、この部分を表示エリア部にすることはできない。そこで、光源１２４近傍の光を第１の反射シート１３５によって導光板１２１に戻すことにより、色の均一化を図ると共に光のロスを減らすことができる。
第１の反射シート１３５は、ヒートシンク１０１と第２のフレーム１３８との間に介在することで、ヒートシンク１０１から第２のフレーム１３８及び第１のフレーム１３７を伝って、熱を液晶パネル１２０に伝えないようにする断熱材の機能を有する。
【００３３】
《導光板、光源、第２の反射シート、ヒートシンク等》
導光板１２１は液晶パネル１２０の背面に配置される。導光板１２１の左右両側面には、対向して１対の光源搭載基板１２３が配置される。光源搭載基板１２３上にはＲＧＢからなる光源１２４、例えば、ＬＥＤが長手方向（上下方向）に一列に複数個搭載される。ヒートシンク１０１は光源搭載基板１２３の光源非搭載面、つまり、導光板１２１の側と反対側に熱伝導接着部材１７１（図２参照）、例えば、銀ペースト等を用いて接着される。板状の第２の反射シート１３６は、導光板１２１の背面側に配置される。
以下にそれぞれの詳細な構成と機能を説明する。
【００３４】
（導光板）
導光板１２１はアクリル等の透明な樹脂からなり、光源１２４から出た光を面光源に変換する機能を有する。導光板１２１の入射面１２１ａに入射した光は、導光板１２１内を全反射して伝播し、導光板１２１の背面に印刷された図示しない反射ドットにより散乱され、導光板１２１の出射面１２１ｂから前面側に取り出される。導光板１２１の入射面１２１ａと後記する光源１２４のレンズ１４２との間には、横方向の空間が設けてあり、導光板１２１が光源１２４に照射されて熱膨張した場合の伸び代となっている。
【００３５】
（第２の反射シート）
第２の反射シート１３６は光源１２４から出た光のうち、直接に導光板１２１の入射面１２１ａに入射しない光を反射して入射面１２１ａに入射させることにより、光利用効率を高める機能とともに、前記反射ドットにより散乱され全反射条件から外れて導光板１２１の背面側に出た光を再び導光板１２１に戻す機能を有する。そのために、導光板１２１の背面側に隣接して配置され、その側端部１３６ａの前面側が光源搭載基板１２３の背面側端面と対向して摺動し、更に、側端部１３６ａがヒートシンク１０１の後記する溝１０１ｄ内に挿入され、溝底面１０１ｅに当たらないように設定される。
【００３６】
（光源）
光源１２４は表示のための光を発する機能を有する。
光源搭載基板１２３は、例えば、セラミック基板からなり、光源１２４を搭載するとともに、光源搭載基板１２３上に形成した配線パターンを介して光源に電流／電圧を供給する。又、光源搭載基板１２３は光源から出射した光を効率よく導光板１２１に導くための反射板としての機能も併せ持つ。又、低熱抵抗のセラミックを用いることにより、光源１２４で発生した熱を外部に伝導させやすくすることができる。
なお、光源搭載基板１２３はセラミックに限定されず、光の反射効率が良く、熱伝導性及び電気絶縁性が高いものであれば良く、樹脂板でも良い。
上下方向に１列に配列された光源１２４は、透明の樹脂により略半円柱状にモールドされ、この成形された略半円柱状の透明樹脂がレンズ１４２を構成する。
【００３７】
（ヒートシンク）
ヒートシンク１０１は熱伝導性の優れた銅、アルミニウム等の材質からなり、例えば、熱伝導性テープ又は銀ペースト等の熱伝導接着部材１７１により光源搭載基板１２３と密着させられ、光源１２４の発熱を効率よく受熱するための機能を有する。ヒートシンク１０１は、液晶表示装置１の左右の側端部に平行に配置されて液晶表示装置１の構造部材を兼ね、略直方体の躯体部１０１ａと、背面側でＬ字型に左右内側に伸び、第３のフレーム１３９を保持するとともに、放熱用のフィン１０１ｃの基部ともなっている保持基部１０１ｂとから構成されている。
躯体部１０１ａの前面側には、前記した固定ねじ２０１に対応した図示しないねじ孔を設けてあり、その前面側に第１の反射シート１３５の固定部１３５ｃ、第２のフレーム１３８、第１のフレーム１３７の順に重ねて固定ねじ２０１で共締めできるようになっている。
又、躯体部１０１ａの背面側には、前記した固定ねじ２０１に対応した図示しないねじ孔を設けてあり、固定ねじ２０１で背面カバー１２２を固定できるようになっている。
【００３８】
そして、ヒートシンク１０１の躯体部１０１ａの左右内面側には第２の反射シート１３６の側端部１３６ａを受け入れる溝１０１ｄが上下方向に設けられ、その溝底面１０１ｅと側端部１３６ａの端面との間には伸び代の空間が設けられている。
【００３９】
（第３のフレーム）
第２の反射シート１３６の背面側には第３のフレーム１３９が配置される。第３のフレーム１３９は、例えば、ステンレス鋼、アルミニウム（Ａｌ）等の金属板からなる。第３のフレーム１３９は、保持基部１０１ｂの前面側で保持され、前面側に押圧され、第２の反射シート１３６を前面側に押圧し、更に、その前面側に配置された導光板１２１等を前面側に押圧し、導光板１２１の反り返りを防止する。
なお、第３のフレーム１３９は背面側への撓みを小さくして反射シート１３６、導光板１２１等を均一に押圧できるように、剛性を持たせるために上下端から前面側に延出されたリブを有している。
【００４０】
（背面カバー）
背面カバー１２２はヒートシンク１０１の背面に配置される。図２に示すように、第３のフレーム１３９と背面カバー１２２の間には上下方向に連なった空間が設けられており、その空間にヒートシンク１０１の放熱部であるフィン１０１ｃが保持基部１０１ｂから多数伸びている。
背面カバー１２２は樹脂板からなり、液晶表示装置１の背面の保護カバー及び液晶表示装置１の構造部材の役目をしていると同時に、ヒートシンク１０１からの熱伝導を阻止する断熱材の機能を有している。
第１のフレーム１３７及び背面カバー１２２の下側面には吸気のための、第１のフレーム１３７及び背面カバー１２２の上側面には排気のための通気口１０７を設けてある。
又、第３のフレーム１３９と背面カバー１２２との間の上下方向に連なった空間の左右中央部には回路基板１４０を配置し、背面カバー１２２に固定してある。
【００４１】
《組み立て順》
次に本液晶表示装置１の組み立て順を説明する。
（１）回路基板１４０を背面カバー１２２の前面側に固定し、更に背面カバー１２２に光源搭載基板１２３を接着済みの左右のヒートシンク１０１を固定ねじ２０１で固定して、前面側を上にして水平状態にする。次いで、第３のフレーム１３９を保持基部１０１ｂの前面側に載せ、更にその上に反射面を上にして第２の反射シート１３６をその側端部１３６ａを溝１０１ｄに挿入しながら、かつ、溝底面１０１ｅから左右とも等しい伸び代を確保するように載せる。
（２）その後、導光板１２１を左右の中央になるように配置する。そして、導光板１２１の上に第１の反射シート１３５を重ねる。このとき、立ち上がり部１３５ｂの光源搭載基板１２３と対向する領域には接着材が前以て塗布されており、光源搭載基板１２３側に押圧して接着する。又、第１の反射シート１３５の固定部１３５ｃはヒートシンク１０１の躯体部１０１ａの前面側に広げられ、ヒートシンク１０１の図示しないねじ孔に対応するように設定される。
【００４２】
（３）次いで、３枚の光学シート１３４Ｃ、１３４Ｂ、１３４Ａが、この順に第１の反射シート１３５の上に重ねられる。更に、緩衝体１３３、第２のフレーム１３８、第２のゴムクッション１３２、液晶パネル１２０、第１のゴムクッション１３１の順に重ねられる。
（４）最後に、第１のフレーム１３７が液晶表示装置１の前面縁部と左右側面、上下面を覆うように被せられ、躯体部１０１ａの前面に設けられた図示しないねじ孔に前面から固定ねじ２０１を挿入して締め付ける。
この結果、保持基部１０１ｂの前面側と第１のフレーム１３７の背面側との間に、第１のゴムクッション１３１、液晶パネル１２０、第２のゴムクッション１３２、第２のフレーム、緩衝体１３３、光学シート１３４Ａ、１３４Ｂ、１３４Ｃ、第１の反射シート１３５、導光板１２１、第２の反射シート１３６、第３のフレーム１３９が押圧保持されることになる。
なお、第１のフレーム１３７、第１のゴムクッション１３１、液晶パネル１２０、第２のゴムクッション１３２、第２のフレーム１３８は、接着剤で接着されて、あらかじめ組み立てられてサブアセンブリとなっていることが多い。
又、回路基板１４０を背面カバー１２２の前面側に固定する代わりに、第３のフレーム１３９の背面側に固定するようにしても良い。
【００４３】
《作用、効果》
光源１２４で発生した熱は、光源搭載基板１２３の背面のヒートシンク１０１の躯体部１０１ａに伝熱され、更に、保持基部１０１ｂからフィン１０１ｃに伝熱された後、導光板１２１と背面カバー１２２との間を流れる空気に放熱される。導光板１２１と背面カバー１２２の間を流れる空気は自然対流により下から上へと流れ、第１のフレーム１３７及び背面カバー１２２の下側面に形成した通気口１０７からの吸気が、第１のフレーム１３７及び背面カバー１２２上面に形成した通気口１０７から排出される。
【００４４】
導光板１２１は、光源１２４からの光を受けることで熱膨張し、反り返ろうとするが、前記保持基部１０１ｂの前面側と第１のフレーム１３７の背面側との間に押圧保持されているので、導光板１２１の反りを防止でき、導光板１２１の光軸がずれて照明度が低下することが防止できる。
又、導光板１２１の反り前記押圧保持により抑制すると、導光板１２１の前面側と背面側に隣接して重ねられている第１の反射シート１３５と第２の反射シート１３６が、導光板１２１の熱による伸縮に引きずられて、少なくとも左右横方向に伸縮することになる。又、第１の反射シート１３５が伸縮するとそれに引きずられて、第１の反射シート１３５の前面側に重ねられている３枚の光学シート１３４（１３４Ａ、１３４Ｂ、１３４Ｃ）も少なくとも左右横方向に伸縮の力を受けることになる。
【００４５】
本実施形態によれば、第１の反射シート１３５が左右方向、上下方向に伸縮して、その前面側に配置されている３枚の光学シート１３４（図２では１３４Ａ、１３４Ｂ、１３４Ｃ）がそれに引きずられて伸縮しても、光学シート１３４は滑り易い緩衝体１３３を介して押圧されているので、光学シート１３４に皺がよったり、撓んだりして光軸がずれることが防止される。光学シート１３４に皺がよったり、撓んだりして光軸がずれると、前面側に放出される光の均一性が低下したり等して液晶表示装置１の表示むらを生じる。従って、そのような表示むら防止できる。
又、緩衝体１３３は光学シート１３４に対して滑りやすい表面材料の弾性部材であるので、光学シート１３４が伸縮しても光学シート１３４の表面を傷めない。
【００４６】
又、第１の反射シート１３５は、立ち上がり部１３５ｂが光源搭載基板１２３に接着されているので、導光板１２１の伸縮により引きずられて、光源搭載基板１２３から離れてしまうということがない。従って、光源搭載基板１２３と第１の反射シート１３５の側端部との間に隙間を生じて、光源１２４の光が洩れるということがない。
例えば、図３に示す比較例の液晶表示装置１Ａのように第１の反射シート１３５が導光板１２１の前面に配置され、その左右側端面Ｂが光源搭載基板１２３に付き当たるようにのみ設定されている場合に、伸縮により光源搭載基板１２３から離れしまい、左右側端面Ｂ’で示すように光源１２４からの光が前面側に漏れてしまう。そうすると導光板１２１の入射面１２１ａに導かれる光量が減り、照明度が低下する。
【００４７】
更に、第１の反射シート１３５は図２に示すように固定部１３５ｃがヒートシンク１０１の躯体部１０１ａの前面側にまで伸び、ヒートシンク１０１と第２のフレーム１３８との間に介在する形となり、ヒートシンク１０１から第１のフレーム１３７、第２のフレーム１３８への熱伝導を遮断する断熱効果があり、ユーザが金属製の第１のフレーム１３７に触れても熱く感じないで済む。
【００４８】
本実施形態によれば、第２の反射シート１３６は、その側端部１３６ａが図２に示すように光源搭載基板１２３の背面側端面と摺動し、ヒートシンク１０１の溝１０１ｄに伸び代を確保して挿入されているので、第２の反射シート１３６が導光板１２１に引きずられて左右方向に伸縮しても、光源搭載基板１２３から離れて光が洩れたり、皺が寄ったりすることもない。
例えば、図３に示す比較例の液晶表示装置１Ａのように第２の反射シート１３６が導光板１２１の背面側に配置され、その左右側端面Ａが光源搭載基板１２３に達するようにのみ設定されている場合に、伸縮により左右側端面Ａ’が光源搭載基板１２３から離れしまい、光源１２４からの光が背面側に漏れてしまう。そうすると導光板１２１の入射面１２１ａに導かれる光量が減り、照明度が低下する。
【００４９】
《実施形態の変形例》
次に図４及び図５を参照しながら本実施形態の変形例について説明する。実施の形態と同じ構成については同じ符号を付し、重複する説明を省略する。
図４及び図５は本実施の形態の第１の変形例を示す液晶表示装置の横断面図である。
本変形例が実施形態から異なる点は、第１の反射シート１３５Ｂ、１３５Ｃが、開口縁部１３５ａの導光板１２１と重なる領域より左右外側に少なくとも伸縮吸収部１３５ｄを有している点である。
図４の例では、伸縮吸収部１３５ｄは波状のフレキシブルな皺を第１の反射シート１３５Ｂに予め付けて伸縮吸収部１３５ｄとしたものである。図５の例では、伸縮吸収部１３５ｄはコの字状のビード皺を第１の反射シート１３５Ｃに予め付けて伸縮吸収部１３５ｄとしたものである。
導光板１２１が左右方向に伸縮して第１の反射シートが左右方向に引きずられても、伸縮吸収部１３５ｄで伸び縮みを吸収できる。その結果、縮んだときに接着部材１７３が剥がれず、光源１２４近傍の良好な反射状態が維持される。
【００５０】
なお、伸縮吸収部１３５ｄは、開口縁部１３５ａの左右方向側だけでなく上下方向側にも設けて、導光板１２１の前面側を囲む連続したものとしたほうが、導光板１２１の面状の伸縮に対しても対処しやすい。
又、前記実施の形態及びその変形例において、第１の反射シート１３５、１３５Ｂ、１３５Ｃと第２の反射シート１３６の導光板１２１の上下端側での処理方法の説明を省略したが、導光板１２１の上下端面からの光の漏洩を抑制するため、図６の導光板と反射シートの縦断面図のように第１の反射シート１３５の上下端部と第２の反射シート１３６の上下端部とを重ねて接着部材１７４で接着しても良い。
【００５１】
実施形態及びその変形例において、ヒートシンク１０１として銅又はアルミニウムを用いたが、銅、アルミニウムに限らず熱伝導度が２００（Ｗ／ｍ・Ｋ）以上、例えば金、銀、銅、アルミニウム、もしくはそれを主成分とした合金、又はカーボングラファイトを用いた場合においても、液晶表示装置１の背面を放熱手段として用いることなくヒートシンク１０１からの放熱を外部に排出することが可能となる。
【００５２】
実施形態及びその変形例において、フィン１０１ｃとして銅又はアルミニウムを用いたが、銅、アルミニウムに限らず熱伝導度が２００（Ｗ／ｍ・Ｋ）以上、例えば金、銀、銅、アルミニウム、もしくはそれを主成分とした合金、又はカーボングラファイトを用いた場合においても、液晶表示装置１の背面を放熱手段として用いることなくヒートシンク１０１からの放熱を外部に排出することが可能となる。
【００５３】
なお、本実施の形態及び変形例においては、保持基部１０１ｂから放熱用のフィン１０１ｃが伸びる構成としたがこれに限定されるものではない。
保持基部１０１ｂの背面側において、躯体部１０１ａに伝熱放熱のための別部材材、例えば、ヒートパイプ等を取り付けても良い。
【図面の簡単な説明】
【００５４】
【図１】本発明の実施形態に係る液晶表示装置の構成斜視図である。
【図２】図１のＸ−Ｘ横断面図である。
【図３】比較例の液晶表示装置における導光板の伸縮による第１及び第２の反射シートの伸縮作用を説明する図である。
【図４】実施形態の変形例を示す図１のＸ−Ｘ横断面図に対応する横断面図である。
【図５】実施形態の変形例を示す図１のＸ−Ｘ横断面図に対応する横断面図である。
【図６】導光板と反射シートの縦断面図。
【符号の説明】
【００５５】
１、１Ａ  液晶表示装置
１０１  ヒートシンク
１０１ａ  躯体部
１０１ｂ  保持基部
１０１ｃ  フィン
１０１ｄ  溝
１０１ｅ  溝底面
１０７  通気口
１２０  液晶パネル
１２１  導光板
１２１ａ  入射面
１２１ｂ  出射面
１２２  背面カバー
１２３  光源搭載基板
１２４  光源
１３１  第１のゴムクッション
１３２  第２のゴムクッション
１３４、１３４Ａ、１３４Ｂ、１３４Ｃ  光学シート
１３５、１３５Ｂ、１３５Ｃ  第１の反射シート
１３５ａ  開口縁部
１３５ｂ  立ち上がり部
１３５ｃ  固定部
１３５ｄ  伸縮吸収部
１３６  第２の反射シート
１３６ａ  側端部
１３７  第１のフレーム
１３８  第２のフレーム
１３９  第３のフレーム
１４０  回路基板
１４２  レンズ
１７１  熱伝導接着部材
１７３  接着部材
１７４  接着部材
２０１  固定ねじ
【図１】
2008299181.tif 000003
【図２】
2008299181.tif 000004
【図３】
2008299181.tif 000005
【図４】
2008299181.tif 000006
【図５】
2008299181.tif 000007
【図６】
2008299181.tif 000008